(57)【要約】 【課題】スピーカエンクロージャーが小型であっても低域を増大させて出力する。【解決手段】スピーカ１０が駆動されると、スピーカ１０のコーン紙の振動がスピーカエンクロージャー９０内の空気に伝搬され、この空気の振動によって振動板９１の振動部位９１ａが振動する。このとき、スピーカエンクロージャー９０内部に放射されたスピーカからの中高音が隔壁９２によって抑制（あるいは遮断）されるので、中高音が直接開口部９０ｂに達して振動板９１やエッジ４０を通じて外部に放射されることを防ぐことができる。これにより、周波数特性の劣化や定位の悪化を防止し、歪み感の少ない明瞭な音質を得ることが可能となる。【選択図】図１
2007110236.tif 000002
【特許請求の範囲】
【請求項１】
内部が密閉されるスピーカエンクロージャーと、
前記スピーカエンクロージャーに取り付けられたスピーカと、
前記スピーカエンクロージャーの一面において一端が固定された状態で弾性により振動可能な振動板と、
前記振動板が設けられた一面において、前記振動板の振動部位に対応する位置に設けられ、前記スピーカエンクロージャーの内部空間が露出する開口構造と、
前記振動板と前記開口構造との間に取り付けられ、前記開口構造によって露出する空間を前記振動板の振動を可能にした状態で塞ぎ、前記スピーカエンクロージャーの気密性を保持する密閉部材と、
前記振動板に対して所定間隔を取って沿うように設けられ、前記スピーカから発せられる所定周波数領域の音波に対し高いインピーダンスとなる隔壁と
を具備することを特徴とするスピーカシステム。
【請求項２】
前記隔壁は、前記スピーカエンクロージャーの内部空間に設けられていることを特徴とする請求項１に記載のスピーカシステム。
【請求項３】
前記隔壁は、前記振動板の露出を外方から覆うようにして設けられていることを特徴とする請求項１に記載のスピーカシステム。
【請求項４】
前記振動板および前記開口部が設けられる一面は、前記スピーカが取り付けられた面と異なる他の面であることを特徴とする請求項１乃至３のいずれかに記載のスピーカシステム。
【請求項５】
前記スピーカは、前記スピーカエンクロージャーの同一の面に複数設けられていることを特徴とする請求項１乃至４のいずれかに記載のスピーカシステム。
【請求項６】
スピーカが取り付けられるスピーカ取り付け穴を有した密閉型のスピーカエンクロージャーにおいて、
前記スピーカエンクロージャーの一面に一端が固定された状態で弾性により振動可能な振動板と、
前記振動板が設けられた一面において、前記振動板の振動部位に対応する位置に設けられ、前記スピーカエンクロージャーの内部空間が露出する開口構造と、
前記振動板と前記開口構造との間に取り付けられ、前記開口構造によって露出する空間を前記振動板の振動を可能にした状態で塞ぎ、前記スピーカエンクロージャーの気密性を保持する密閉部材と、
前記振動板に対して所定間隔を取って沿うように設けられ、前記スピーカから発せられる所定周波数領域の音波に対し高いインピーダンスとなる隔壁と
を具備することを特徴とするスピーカエンクロージャー。
【発明の詳細な説明】
【技術分野】
【０００１】
本発明は、スピーカシステムおよびスピーカエンクロージャーの技術に関する。
【背景技術】
【０００２】
スピーカシステムには、種々のタイプのものが開発されており、例えば、バスレフやドローンコーンを用いたものがその代表である。
バスレフは、ヘルムホルツ共鳴を利用して低音を増強するものであり、ドローンコーンは駆動回路のないスピーカユニットを取り付け、エンクロージャーの容積内の空気との共振を利用して低音を増強するものである。
【０００３】
バスレフにおいては、エンクロージャーの容積が小さい場合、共振周波数を低くするには、共鳴管を小型で細長くしなければならず、空気抵抗が大きくなって低音増強機能が著しく低下し、また、共鳴管を通過する空気の速度が非常に速くなるために笛のような風切り音が発生するという問題がある。
【０００４】
また、ドローンコーンの場合は、共振周波数を低くするには、その質量を大きくしなければならない。そして、共振周波数を下げるためには、振動板を支持するエッジのコンプライアンスが大きくなければならないが、質量の大きな振動板を支持するためにはエッジのバネ性や強度は大きくなければならず、コンプライアンスと相反することになる。また、重い振動板が完全に平行に振動することは難しく、ローリングやロッキングと呼ばれる異常振動を伴い易い。この異常振動は、歪みを増加させ無駄なエネルギーを消費して、効率を低下させる。
【０００５】
上述したドローンコーンの欠点を補うために、例えば、特表２００２−５３１０３６号公報などが提案されている。この方式によれば、ローリングやロッキングは防止することができるが、振動板（フラップ）の重量をその周囲に設けられたエッジで支える構造であるため、エッジに強度が必要になり、その制動効果により振動のＱが小さくなるという問題がある。
【特許文献１】特表２００２−５３１０３６号公報
【発明の開示】
【発明が解決しようとする課題】
【０００６】
上記課題を解決するため、本発明は、小型であっても充分な低音成分を出力することができ、ローリングやロッキングを防止するとともに振動板の振動のＱも大きくすることができるスピーカシステムおよびスピーカエンクロージャーを提供することを目的とする。
【課題を解決するための手段】
【０００７】
本願発明によるスピーカシステムは、内部が密閉されるスピーカエンクロージャーと、前記スピーカエンクロージャーに取り付けられたスピーカと、前記スピーカエンクロージャーの一面において一端が固定された状態で弾性により振動可能な振動板と、前記振動板が設けられた一面において、前記振動板の振動部位に対応する位置に設けられ、前記スピーカエンクロージャーの内部空間が露出する開口構造と、前記振動板と前記開口構造との間に取り付けられ、前記開口構造によって露出する空間を前記振動板の振動を可能にした状態で塞ぎ、前記スピーカエンクロージャーの気密性を保持する密閉部材と、前記振動板に対して所定間隔を取って沿うように設けられ、前記スピーカから発せられる所定周波数領域の音波に対し高いインピーダンスとなる隔壁とを具備することを特徴とする。
【０００８】
また、好ましい態様としては、前記隔壁は、前記スピーカエンクロージャーの内部空間に設けられていることを特徴とする。
別の好ましい態様としては、前記隔壁は、前記振動板の露出を外方から覆うようにして設けられていることを特徴とする。
また、更に好ましい態様としては、前記振動板および前記開口部が設けられる一面は、前記スピーカが取り付けられた面と異なる他の面であることを特徴とする。
更に好ましい態様としては、前記スピーカは、前記スピーカエンクロージャーの同一の面に複数設けられていることを特徴とする。
【０００９】
また、本発明によるスピーカエンクロージャーは、スピーカが取り付けられるスピーカ取り付け穴を有した密閉型のスピーカエンクロージャーにおいて、前記スピーカエンクロージャーの一面に一端が固定された状態で弾性により振動可能な振動板と、前記振動板が設けられた一面において、前記振動板の振動部位に対応する位置に設けられ、前記スピーカエンクロージャーの内部空間が露出する開口構造と、前記振動板と前記開口構造との間に取り付けられ、前記開口構造によって露出する空間を前記振動板の振動を可能にした状態で塞ぎ、前記スピーカエンクロージャーの気密性を保持する密閉部材と、前記振動板に対して所定間隔を取って沿うように設けられ、前記スピーカから発せられる所定周波数領域の音波に対し高いインピーダンスとなる隔壁とを具備することを特徴とする。
【発明を実施するための最良の形態】
【００１０】
以下、図面を参照し、この発明の実施の形態を説明する。
図１および図２は、この発明の実施形態であるスピーカシステムの構成を示す図であり、図１の（ａ）は正面図、（ｂ）は背面図、（ｃ）は（ａ）に示すＡ−Ａ線断面図、（ｄ）は（ａ）に示すＢ−Ｂ線断面図である。また、図２は斜め背面方向から見た分解組み立て図である。図において、１０、１０は、ボイスコイル、マグネット等を備えたスピーカであり、スピーカエンクロージャー９０の前面に取り付けられている。スピーカエンクロージャー９０は、密閉型のエンクロージャーであり、板状の部材（例えば、木材、合成樹脂、金属もしくはそれらを張り合わせた合成材等）により形成されている。
【００１１】
９０ａ，９０ａは、スピーカエンクロージャー９０の前面において、水平方向に所定の角度を持たせて接合されたバッフル板である。このバッフル板９０ａ，９０ａを各々貫通して左右対称となるようにスピーカ取付穴が設けられ、これらのスピーカ取付穴に前述したスピーカ１０、１０が挿入されている。この場合、スピーカ１０の前面のフレームがネジによりバッフル板９０ａ，９０ａに各々固定されている。
【００１２】
スピーカエンクロージャー９０の背面には、図１の（ｄ）に示すように、スピーカエンクロージャー９０の内部空間が露出する開口部９０ｂが形成されている。また、スピーカエンクロージャー９０の背面には、薄い板状の振動板９１が取り付けられている。この振動板９１は、スピーカエンクロージャー９０の背面とほぼ同じ大きさに形成され、開口部９０ｂを覆うようにして、スピーカエンクロージャー９０の背面全体をほぼ覆っている。より詳細に説明すると、振動板９１は、音響的に十分な強度と弾性とを併せ持つ部材で形成されている。ここで、「音響的に十分な強度」とは、空気を通さず、空気よりも十分大きな密度をもち、振動したときに音波を発生する強度と弾性を持つことを意味する。また、振動板９１は、それ自体で音波をある程度遮断できる性質を有する。
また、「弾性」の度合いは、この振動板９１の一辺を固定して水平に置いたときに自重を支えてほぼ水平に保つことができる程度である。このような特性を満足させるために、振動板９１は、例えば薄い木の板、薄い合成樹脂、金属の板もしくはそれらを張り合わせた合成材等からなる。
【００１３】
次に、４０は、振動板９１の振動部位９１ａの外周縁と開口部９０ｂの縁部に設けられた枠部材９５との間に設けられ、スピーカエンクロージャー９０の気密性を保持するエッジである。エッジ４０の外周縁部は、振動板９１の振動部位９１ａの外周縁部と枠部材９５との相方に接着され、これにより、スピーカエンクロージャー９０の気密性が保持される。また、エッジ４０が自由に折れ曲がることにより、振動部位９１ａの振動は妨げられることなく、自由振動となる。なお、スピーカエンクロージャー９０の開口部９０ｂの周囲にエッジ４０を固定し易い構造とすれば枠部材９５は省略可能である。
【００１４】
９２は、スピーカエンクロージャー９０内の背面側に近い位置であって、振動板９１に対して所定距離隔てて設けられている隔壁であり、スピーカエンクロージャー９０内を前面側と背面側の空間に隔てている。隔壁９２は、その下方部分に矩形の孔９３を備えている。孔９３は、図１（ｂ）および図２に示すように、隔壁９２の下部においてスピーカエンクロージャー９０の幅方向に長く形成され、その幅はスピーカエンクロージャー９０の幅よりやや短く（図示の例の場合は８４ｍｍ）、その高さは隔壁９２の高さの約１／３（図示の例の場合は３０ｍｍ）に設定されている。
この孔９３は開口部９０ｂに連通しているから、開口部９０ｂからは孔９３を介してスピーカエンクロージャー９０内の空間が露出するようになっている。また、隔壁９２の上部には、水平方向に延びる梁部材９４が設けられており、前述した振動板９１は、梁部材９４に固定されている。梁部材９４の高さを振動板９１の高さの一割程度とし振動板９１を強固に固定することで、振動板９１ａは弾性による曲げ振動が可能となる。本実施形態においては、梁部材９４の下端と枠部材９５の上端が接する位置関係になっている。
隔壁９２は、スピーカ１０から発生する音波の中高音を減衰（あるいは遮断）する目的で設けられており、このため、隔壁９２の材質は、スピーカ１０からの音圧によって容易に振動しない程度の重量と強度とを持ち、音波を遮断できるものが望ましい。または、適当な内部損失をもち音波のエネルギーを内部で熱に変換または消費するような材質であるとよい。
【００１５】
また、孔９３は、隔壁９２による中高音の減衰効果を失わせない位置に設けられている。本実施形態の場合は、隔壁９２の下部に設けられ、スピーカ１０の音波（低音成分）はこの孔９３を通過することによって振動板９１に伝わるようになっている。
【００１６】
上述した構成において、スピーカ１０が駆動されると、スピーカ１０のコーン紙の振動がスピーカエンクロージャー９０内の空気に伝搬され、この空気の振動によって振動板９１の振動部位９１ａが振動する。このとき、エッジ４０で気密性を保持された状態で振動する振動板９１は、振動したときにスピーカエンクロージャー９０内の空気容積を圧縮または伸張させる。したがって、振動板９１の弾性に加えてスピーカエンクロージャー９０の空気バネも加わったコンプライアンス（機械的可とう性）と振動板９１の等価質量との間で新たな共振周波数を持つようになる。この結果、振動板９１の共振周波数を中心に再生される音が生じる。具体的には、図１に示す場合において、有効直径３ｃｍ、最低共振周波数１９０Ｈｚのスピーカ２個を４００ｃｃのスピーカエンクロージャーに収め、振動板の共振周波数を１２０Ｈｚに調整することで１００Ｈｚ（−１０ｄＢ）からの低音再生が可能である。
【００１７】
ここで空気バネと振動板９１の弾性（バネ性）は、等価的に２つのバネが並列に接続されているように機能するが、空気バネの方が振動板９１のバネよりもコンプライアンスが小さいので、スピーカシステムとしての振動板９１の共振周波数はほぼ空気のコンプライアンスと振動板９１の等価質量で決まる。
【００１８】
以上のようにして決定される共振周波数は、容易に低音領域の所望値にすることができる。このように、本実施形態においては、振動板９１の曲げ振動を利用することによって、ドローンコーンのようなパッシブラジエターとしての作用が得られる。
【００１９】
また、振動部位９１ａは、「うちわ」のように全体がしなりながら振動する１次振動モードで低音再生を行う。なぜなら、振動板９１には２次や３次またはそれ以上の振動モードも存在しているが、空気で振動板９１全体が駆動されるため１次振動モードが最も強く発生し、それ以外の振動モードの発生レベルは小さくなるからである。また、高次モードをさらに抑えたい場合は、振動板９１の材質や厚さまたは複数の材料の張り合わせなどで調整が可能である。
【００２０】
なお、本実施形態においては、振動板９１は、自重を十分支えられる程度の弾性を持っているので、振動板９１を水平に置いてもそれ自身で水平を保持できる。また、振動板９１自身の弾性が自由共振のコンプライアンスになるが、弾性を持った振動板９１の内部損失は同じ弾性を持たせたエッジ４０の内部損失より遥かに小さいため振動時の損失は十分小さい。
【００２１】
また、本実施形態におけるエッジ４０は、従来のドローンコーン等に用いられるエッジに較べ柔らかな材質とすることができ、また、機械的な強度も必要ない。従来のドローンコーン等のパッシブラジエターにおいては、剛体の振動板をエッジで支えるという構造が必要であるため、エッジは振動板の支持と気密性の確保という２つの機能を持っていた。しかし、本実施形態においては、振動板９１の支持機能を振動板９１自体に持たせているので、エッジ４０に支持機能は必要でない。そのため、エッジ４０は、スピーカエンクロージャー９０内の気密性を保持できれば足りるから、従来にない柔らかな材料を用いることができ、振動板９１の振動を阻害しない状況を作ることができ、振動のＱを大きくすることができる。
また、振動板９１の共振周波数は、振動板９１の質量を大きくすることで下げることができる。すなわち、振動板９１の大きさや材質などによっても調整が可能であり、振動板９１に何らかの部材を貼り付けることによっても容易に調整が可能である。
【００２２】
ここで、等価回路を用いて本件発明と従来技術との差異について説明する。図３はスピーカの電気等価回路である。ボイスコイルインピーダンスを介してＣｍｅｓ、Ｒｅｓ、Ｌｃｅｓで構成される低域共振回路（共振周波数＝Ｆ０）が電圧駆動される構成を持っている。
ここで、
Ｒｅ＝ボイスコイル直流抵抗
Ｌｅ，Ｌ２，Ｒ２＝高域インピーダンス上昇要素
Ｃｍｅｓ＝スピーカ振動系の等価質量容量
Ｌｃｅｓ＝スピーカ振動系の等価コンプライアンスインダクタンス
Ｒｅｓ＝スピーカ振動系のメカニカル制動抵抗
である。
【００２３】
図４はスピーカエンクロージャーの等価回路であり、Ｌｖｅ＝等価容積インダクタンスである。
図５は、従来のドローンコーンやヒンジ固定フラップなどのパッシブラジエターの等価回路である。図示のように、スピーカからボイスコイルのファクターを無くした回路構成を持つ。質量Ｃｍｅｐは、エッジの持つコンプライアンスＬｃｅｐと制動抵抗Ｒｅｐで支えられている。
ここで、
Ｃｍｅｐ＝パッシブラジエターの等価質量容量
Ｌｃｅｐ＝パッシブラジエターの等価コンプライアンスインダクタンス
Ｒｅｐ＝パッシブラジエターのメカニカル制動抵抗
である。図６は従来のパッシブラジエターシステムの等価回路である。信号電圧がスピーカを駆動し、スピーカの音響出力がスピーカエンクロージャー容積を介してパッシブラジエターを駆動する。
【００２４】
システムとしての低域共振周波数は、ほぼＣｍｅｐとＬｖｅの共振周波数になる。少ない容積で共振周波数を下げるには、Ｃｍｅｐを大きくする必要があり、これはパッシブラジエターが重くなることを意味する。重いパッシブラジエターを支えるには、丈夫で強度のあるエッジが必要になる。一方、エッジには柔軟性が要求されるため、ゴムやウレタンなどの柔らかい材料が使われるが、強度を上げるには厚くする必要がある。しかし、エッジを厚くするということは、等価コンプライアンスＬｃｅｐを下げると同時に制動力も大きくするということになる（電気等価回路において表現すれば抵抗値Ｒｅｐが下がるということになる）。このため、パッシブラジエターのロスが大きくなり、低音の再生能力が下がってしまう。
【００２５】
図７は本願発明にかかる振動板の等価回路である。振動板は一辺が完全に固定されているため振動板自身がコンプライアンスＬｃｅｂを持ち自重を支えている。振動板は弾性体で作られているので、エッジ材料のような抵抗成分は無視できる。エッジは振動板の自重を支える必要がないため薄い材料で良く、コンプライアンスＬｃｅｘを非常に大きくすることができ、これにより必然的にロスも非常に小さくなる（電気等価回路において表現すれば制動抵抗Ｒｅｘが大きくなる）。
図７において、
Ｃｍｅｂ＝振動板の等価質量容量
Ｌｃｅｂ＝振動板の等価コンプライアンスインダクタンス
Ｌｃｅｘ＝振動板エッジの等価コンプライアンスインダクタンス
Ｒｅｘ＝振動板エッジのメカニカル制動抵抗
である。図８は本件発明におけるスピーカシステムの等価回路である。図６と比較した場合、スピーカとスピーカエンクロージャー容積を同じとすると、
Ｃｍｅｐ＝Ｃｍｅｂ
とすれば、低域の共振周波数も同じになる。この重量を支えるコンプライアンスも同等のものが必要になるが、図６ではＬｃｅｐであり、図８ではＬｃｅｘ＞＞Ｌｃｅｂであるから、ほとんどＬｃｅｂとなり、適切な設計をすればほぼ
Ｌｃｅｐ＝Ｌｃｅｂ
となる。ここまでのファクターに大きな差異はない。しかし、ここまでの説明で明らかなように、
Ｒｅｘ＞＞Ｒｅｐ
となることが、本願発明の重要な特徴であり、これにより従来方式に較べてロスが大幅に少なくなり、低音再生が有利になることが分かる。
【００２６】
ところで、振動板によって低音を増大させるスピーカシステムにおいては、スピーカと振動板との位置関係によっては、スピーカからスピーカエンクロージャー内部に放射された中高音がスピーカエンクロージャー内部で反射減衰せずに直接開口部に達して外部に漏れ出してくる場合がある。特に、小型のスピーカシステムにおいては、スピーカと開口部の距離の確保が困難となるため、スピーカの背面のすぐ近くに振動板を設けた場合などは、音洩れが顕著となり周波数特性の劣化や定位の悪化をもたらす場合がある。
また、スピーカシステムに振動板を設けた場合においては、スピーカエンクロージャーの一部に大きな開口部を持つため、スピーカエンクロージャーの機械的強度が不足し、開口部周辺に補強が必要になる場合が多い。
【００２７】
一方、この実施形態においては、図１に示したように、スピーカ１０と開口部９０ｂとの間に隔壁９２を設けて、振動板９１を通じた中高音の漏れ出しを隔壁９２により抑制することにより、スピーカ１０の背面よりスピーカエンクロージャー９０内部に放射された中高音が直接開口部９０ｂに達して振動板９１やエッジ４０を通じて外部に放射されることを防ぐことができ、これにより、振動板９１付近からは低音成分のみが出力される。したがって、周波数特性の劣化や音像定位の悪化を防止し、歪み感の少ない明瞭な音質を得ることが可能となる。
【００２８】
また、隔壁９２の一部に視聴者方向に直接中高音が放射されない位置に孔９３を設けることにより、振動板９１をスピーカ１０の背圧で駆動しながら、振動板９１を通じて中高音が洩れるのを抑制することを可能とする。
【００２９】
また、隔壁９２によって開口部９０ｂ周辺のスピーカエンクロージャー９０の強度が向上するので、スピーカエンクロージャー９０の変形による内圧の減少が抑えられるため、スピーカ１０の背圧による振動板９１の駆動が損失少なく行われる効果も有する。
【００３０】
＜変形例＞
以上、本発明の実施形態について説明したが、本発明は上述した実施形態に限定されることなく、他の様々な形態で実施可能である。以下にその一例を示す。
（１）上述した実施形態においては、角度を持たせて接合した２つのバッフル板９０ａ，９０ａに各々一つのスピーカを取り付け、スピーカエンクロージャーの背面に振動板９１を形成した例を示したが、これに代えて、例えば、図９に示すような構成であってもよい。図９に示す例は、スピーカエンクロージャー１００の左右の側面に各々スピーカを取り付け、その前面に振動板９１を形成した例である。なお、図９の（ａ）は側面図、（ｂ）は正面図、（ｃ）は（ｂ）に示すＡ−Ａ線断面図である。この場合においては、正面に開口部１０２が形成され、その開口部１０２を覆うように振動板９１が設けられており、振動板９１はスピーカエンクロージャー１００の上面に固定されている。
また、隔壁１０１は振動板９１に対して所定の距離をとってスピーカエンクロージャー１００の内部に上面の内壁から下方に向かって延びるように設けられ、その上端および側端が各々スピーカエンクロージャー１００の内壁に固定されている。隔壁１０１の長さはスピーカエンクロージャー１００の高さより短く構成されており、これにより、隔壁１０１の下端とスピーカエンクロージャー１００の下面との間に孔１０３が形成されるようになっている。この孔１０３は前述した図１に示す実施形態における孔９３と同様の機能を果たす。
ここで、図示の場合において、有効直径３ｃｍ、最低共振周波数１９０Ｈｚのスピーカ２個を３００ｃｃのスピーカエンクロージャーに収め、振動板の共振周波数を１２０Ｈｚに調整することで１００Ｈｚ（−１０ｄＢ）からの低音再生が可能である。
【００３１】
（２）上述した実施形態においては、スピーカエンクロージャーの内部に隔壁を設ける構成としたが、隔壁の設置位置はこれに限定されるものではなく、スピーカの中高音を好適に抑制できる位置であればどのような位置であってもよい。例えば、図１０に示すように、振動板９１を外側から覆うように隔壁９２を設けるようにしてもよい。図１０に示す例では、スピーカエンクロージャー１１０の前面、上面および側面が各々所定幅だけ前側に突き出ており、隔壁９２の前端、上端および後端は、各々スピーカエンクロージャー１１０の右側面、上面および左側面に接合されている。また、隔壁９２の下端の位置は、床面から所定距離とられており、この床面との間で開口構造が形成されている。
以上のような構成であっても、上述した実施形態と同様に、中高音の洩れ出しを抑制することが可能であり、振動板９１の振動によって発生された低音は隔壁９２の床面との間の開口構造から放出される。
【００３２】
（３）また、振動板の形状は上述したものに限定されるものではなく、例えば、図１１に示すような形状であってもよい。図１１の（ａ）は、この変形例であるスピーカシステムの外観を示す斜視図であり、図１１の（ｂ）は、同変形例を背面から見た斜視図である。また、図１１の（ｃ）は、側断面図である。この例においては、図示のように、バッフル板５０ａと対向する面、すなわちスピーカエンクロージャー５０の背面に中央部から下部にかけてＵ字状に細長く切り欠かれた開口部６０が設けられている。この場合、Ｕ字状の内側の部分が振動板５１として機能する。すなわち、振動板５１の上部はバッフル板５０ａと一体であり、それ以外の部分はＵ字形状の開口部６０によってバッフル板５０ａから切り離されているから、振動板５１はその上端が固定された状態で自由に振動可能である。また、開口部６０は断面がアーチ状のエッジ７０によって、スピーカエンクロージャー５０の内側から覆われ、これによりスピーカエンクロージャー５０の気密性が保持されている。
【００３３】
図１１に示す例においては、隔壁５２は振動板５１に対して所定の距離をとってスピーカエンクロージャー５０の内部に上面の内壁から下方に向かって延びるように設けられ、その上端および側端が各々スピーカエンクロージャー５０の内壁に固定されている。隔壁５２の長さはスピーカエンクロージャー５０の高さより短く構成されており、これにより、隔壁１０１の下端とスピーカエンクロージャー５０の下面との間に孔５３が形成されるようになっている。
【００３４】
（４）隔壁に設けられる孔もしくは開口構造の位置は、スピーカユニットからの音波が直接視聴者の耳に達しない位置に設定することが好ましい。
【００３５】
（５）隔壁の下端や一部にバスレフ方式のようなダクトを設けるようにしてもよい。例えば、図９（ｃ）に破線で示すように内部に所定距離突出したダクト１０５を設けてもよい。このようなダクトを設けることで中高音をダクト内部で反射減衰させることが可能となる。
また、隔壁に設けられる開口構造や孔の形状は、丸形や角形など種々の形状をとることができ、その数も任意である。これらについては、振動板が再生しようとする帯域において空気抵抗をほとんど持たないものが好ましい。
なお、隔壁は複数設けるようにしてもよく、これらの隔壁について孔や開口構造の個数も任意である。
【００３６】
（６）図１に示す実施形態では、スピーカエンクロージャー９０の内部空間に振動板９１の背面空間（開口部９０ｂ）が形成され、図９に示す実施形態では同様の背面空間（開口部１０２）が形成されている。これらの背面空間は、スピーカエンクロージャーに孔を設けて、上端がスピーカエンクロージャーに固定され、左右と下部をエッジに囲まれた振動板がこの孔を覆うように配置して構成してもよい。
【図面の簡単な説明】
【００３７】
【図１】本発明の実施形態であるスピーカシステムの構成を示す図である。
【図２】同実施形態の分解組み立て図である。
【図３】スピーカの電気等価回路である。
【図４】スピーカエンクロージャーの電気等価回路である。
【図５】従来のパッシブラジエターの等価回路である。
【図６】従来のパッシブラジエターシステムの等価回路である。
【図７】本願発明にかかる振動板の等価回路である。
【図８】本願発明にかかるスピーカシステムの等価回路である。
【図９】本発明の他の実施形態を示す図である。
【図１０】本発明の他の実施形態を示す図である。
【図１１】本発明の他の実施形態を示す図である。
【符号の説明】
【００３８】
１０…スピーカ、４０…エッジ、９０，１００，１１０…スピーカエンクロージャー、９０ｂ，１０２…開口部、９１…振動板、９２…隔壁、５３，９３，１０３…孔，９４…梁部材、９５…枠部材。
【図１】
2007110236.tif 000003
【図２】
2007110236.tif 000004
【図３】
2007110236.tif 000005
【図４】
2007110236.tif 000006
【図５】
2007110236.tif 000007
【図６】
2007110236.tif 000008
【図７】
2007110236.tif 000009
【図８】
2007110236.tif 000010
【図９】
2007110236.tif 000011
【図１０】
2007110236.tif 000012
【図１１】
2007110236.tif 000013